(57)【要約】【課題】照明器具の制御やセンサの制御等を行う端末器の通信に必要なソフトウエア構成を簡単にしてシステムの構築が容易にする。【解決手段】第１の信号伝送ライン２に接続した、照明器具の制御等を行う端末器６，７，９と、第１、第２の信号伝送ライン２，１２に接続し、各端末器を制御するとともに所定の時間間隔で繰り返しポーリングを行って各端末器の状態を監視情報として取得し、この取得した監視情報を記憶部に保持する複数の中央制御装置１と、第２の信号伝送ライン及びネットワーク１５に接続し、中央制御装置２から送信される各端末器の監視情報を収集して記憶部に保持するとともにネットワークを介してホスト装置１７へ送信し、また、ネットワークを介してパーソナルコンピュータ１６から監視情報の確認要求があると要求のあった監視情報を送信するゲートウェイ装置１４とを備えている。【選択図】      図１
2005277597.tif 000002
【特許請求の範囲】
【請求項１】
第１の信号伝送ラインに接続した、照明器具の制御やセンサの制御等を行う複数の端末器と；
それぞれ第１、第２の信号伝送ラインに接続し、自己が接続した第１の信号伝送ラインに接続された各端末器を制御するとともにこの各端末器に対して所定の時間間隔で繰り返しポーリングを行って各端末器の状態を監視情報として取得し、この取得した監視情報を記憶部に保持するとともに第２の信号伝送ラインに送信する複数の中央制御装置と；
第２の信号伝送ライン及びネットワークに接続し、第２の信号伝送ラインを介して前記各中央制御装置から送信される各端末器の監視情報を収集して記憶部に保持するとともにネットワークを介して上位機器へ送信し、また、ネットワークを介してマンマシンインターフェース機能を有する機器から監視情報の確認要求があると該当する機器に該当する監視情報を送信するサーバと；
を具備したことを特徴とする照明制御システム。
【請求項２】
第１の信号伝送ラインに接続した、照明器具の制御やセンサの制御等を行う複数の端末器と；
それぞれ第１、第２の信号伝送ラインに接続し、自己が接続した第１の信号伝送ラインに接続された各端末器を制御するとともにこの各端末器に対して所定の時間間隔で繰り返しポーリングを行って各端末器の状態を監視情報として取得し、この取得した監視情報を記憶部に保持するとともに第２の信号伝送ラインに送信する複数の中央制御装置と；
第２の信号伝送ライン及びネットワークに接続し、第２の信号伝送ラインを介して前記各中央制御装置から送信される各端末器の監視情報を収集して記憶部に保持するとともにネットワークを介して上位機器へ送信し、また、ネットワークを介してマンマシンインターフェース機能を有する機器から監視情報の確認要求があると該当する機器に該当する監視情報を送信するサーバと；
第１の信号伝送ラインに対して接離自在に設けられ、前記各中央制御装置に対して保存しているデータを設定のためにアップロードする設定器と；
を具備したことを特徴とする照明制御システム。
【発明の詳細な説明】
【技術分野】
【０００１】
本発明は、照明器具やセンサを遠隔制御できる照明制御システムに関する。
【背景技術】
【０００２】
汎用プロトコルのネットワークに接続した対象端末に、自身もしくは自身内にある所定の装置の状態を検出する状態検出手段と、検出された状態に関する情報をネットワーク上の所定のサーバに向けて転送し、記憶手段に格納させる送信手段とを備えたものが知られている（例えば、特許文献１参照）。
【特許文献１】特開平１１−１１３０７２号公報
【発明の開示】
【発明が解決しようとする課題】
【０００３】
しかし、対象端末毎に汎用プロトコルによるネットワーク接続手段が必要となるため端末の通信に必要なソフトウエア構成が複雑化する問題があった。  
本発明は、照明器具の制御やセンサの制御等を行う端末器の通信に必要なソフトウエア構成が簡単でシステムの構築が容易にできる照明制御システムを提供する。
【課題を解決するための手段】
【０００４】
請求項１記載の発明は、第１の信号伝送ラインに接続した、照明器具の制御やセンサの制御等を行う複数の端末器と、それぞれ第１、第２の信号伝送ラインに接続し、自己が接続した第１の信号伝送ラインに接続された各端末器を制御するとともにこの各端末器に対して所定の時間間隔で繰り返しポーリングを行って各端末器の状態を監視情報として取得し、この取得した監視情報を記憶部に保持するとともに第２の信号伝送ラインに送信する複数の中央制御装置と、第２の信号伝送ライン及びネットワークに接続し、第２の信号伝送ラインを介して各中央制御装置から送信される各端末器の監視情報を収集して記憶部に保持するとともにネットワークを介して上位機器へ送信し、また、ネットワークを介してマンマシンインターフェース機能を有する機器から監視情報の確認要求があると該当する機器に該当する監視情報を送信するサーバとを具備した照明制御システムにある。  
請求項２記載の発明は、さらに、第１の信号伝送ラインに対して接離自在に設けられ、各中央制御装置に対して保存しているデータを設定のためにアップロードする設定器を具備した照明制御システムにある。
【発明の効果】
【０００５】
本発明によれば、照明器具の制御やセンサの制御等を行う端末器の通信に必要なソフトウエア構成が簡単でシステムの構築が容易にできる照明制御システムを提供できる。
【発明を実施するための最良の形態】
【０００６】
以下、本発明の、実施の形態を、図面を参照して説明する。  
（第１の実施の形態）
この照明制御システムは、図１に示すように、ｎ台の中央制御装置(#1)〜(#n)１-1，１-2，…，１-nを配置し、この各中央制御装置１-1，１-2，…，１-nにそれぞれ第１の信号伝送ライン２-1，２-2，…，２-nを接続している。そして、各第１の信号伝送ライン２-1，２-2，…，２-nに、照明器具４-1，４-2，…，４-n、５-1，５-2，…，５-nを制御する制御端末器６-1，６-2，…，６-n、７-1，７-2，…，７-nを接続し、また、照明器具８-1，８-2，…，８-nを制御するセンサ付き端末器９-1，９-2，…，９-nを接続し、さらに、壁スイッチ１０-1，１０-2，…，１０-n、１１-1，１１-2，…，１１-n等を接続している。
【０００７】
前記各中央制御装置１-1，１-2，…，１-nは、それぞれ第２の信号伝送ライン１２-1，１２-2，…，１２-nを経由してハブ１３に接続しいてる。前記ハブ１３にはサーバとしての機能も有するゲートウェイ装置１４が接続されている。
【０００８】
前記各中央制御装置１-1，１-2，…，１-nは、ハードウエアとしてはマイクロプロセッサや記憶部を備え、また、ソフトウエアとしてはオペレーティングシステム、ファイルシステム、ＦＴＰ（ファイル・トランスファ・プロトコル）機能を備え、それぞれ第１の信号伝送ライン２-1，２-2，…，２-nに接続されている各端末器や各壁スイッチを統括管理するもので、各端末器や各壁スイッチを制御するとともに各端末器や各壁スイッチに対して所定の時間間隔で繰り返しポーリングを行って各端末器や各壁スイッチの状態を監視情報として取得し、この取得した監視情報を前記記憶部に保持するとともにそれぞれ第２の信号伝送ライン１２-1，１２-2，…，１２-nに送信するようになっている。
【０００９】
前記ゲートウェイ装置１４は、本来の異なるプロトコル同士を変換する機能の他に、大容量の記憶部を備えたＷｅｂサーバとしての機能を備え、前記ハブ１３を経由して前記各中央制御装置１-1〜１-nから送信される各端末器や各壁スイッチの監視情報を収集して前記記憶部に保持するようにしている。また、前記ゲートウェイ装置１４は、インターネット等のネットワーク１５に接続している。
【００１０】
前記ハブ１３には、また、パーソナルコンピュータ１６が接続されている。前記パーソナルコンピュータ１６は、ＦＴＰクライアント機能を備え、前記中央制御装置に設定するデータを予めファイルとして作成し、ＦＴＰクライアント機能を使用して作成したファイルを該当する中央制御装置にアップロードできるようになっている。
【００１１】
また、逆に、中央制御装置で設定データや監視データをファイル化し、このファイルを前記パーソナルコンピュータ１６にダウンロードできるようになっている。この場合の設定データとしては、各端末器や各壁スイッチを制御する際のパターン割り付け、グループ割り付けのデータ、あるいはスケジュール制御するための制御対象、制御時間、制御内容などのデータがある。また、監視データとしては、中央制御装置の持つ照明器具の消費電力ログ機能を使って生成される消費電力データや中央制御装置が検出したシステム異常ログデータなどがある。
【００１２】
前記ネットワーク１５には上位機器であるホスト装置１７やマンマシンインターフェース機能を有する機器としてのパーソナルコンピュータ１８などが接続されている。前記ホスト装置１７もゲートウェイ装置１４と同様に、大容量の記憶部を備えたＷｅｂサーバとしての機能を備えている。前記パーソナルコンピュータ１７はＷｅｂブラウザのソフトウエアを備えている。
【００１３】
前記ゲートウェイ装置１４は、ハブ１３を経由して前記各中央制御装置１-1〜１-nから送信される各端末器や各壁スイッチの監視情報を収集して記憶部に保持したときには、その収集した監視情報を、ネットワーク１５を経由して前記ホスト装置１７へ送信するようにしている。ホスト装置１７はゲートウェイ装置１４からの監視情報を受信して記憶部に保持するようにしている。
【００１４】
前記パーソナルコンピュータ１８は、Ｗｅｂブラウザを使用して前記ゲートウェイ装置１４やホスト装置１７のＷｅｂサーバに管理さている各端末器や各壁スイッチの監視情報を見ることができるようになっている。
【００１５】
前記第１の信号伝送ライン２-1〜２-nには、壁スイッチ１０-1〜１０-n、１１-1〜１１-nを経由して設定器１９が接離自在になっている。すなわち、壁スイッチ１０-1〜１０-n、１１-1〜１１-nは化粧カバーで隠されたコネクタ部を設けており、このコネクタ部に設定器１９に設けたコネクタ部を専用ケーブルで接続することによって設定器１９を第１の信号伝送ライン２-1〜２-nに接続できるようになっている。
【００１６】
前記設定器１９は、図２に示すように、マイクロプロセッサを設けた主処理部２１を備え、この主処理部２１に、データ変換部２２を介してＬＡＮ信号処理部２３を接続し、データ変換部２４を介してシリアル信号処理部２５を接続し、多重伝送信号処理部２６を接続している。また、前記主処理部２１に、データ記憶部２７、状態表示部２８及び操作スイッチ部２９を接続している。そして、前記データ記憶部２７にリムーバルディスク部３０を接続している。
【００１７】
前記設定器１９は、リムーバルディスク部３０に着脱自在なコンパクトフラッシュ（登録商標）などのリムーバルディスクに各種設定データを記憶しておき、このリムーバルディスクに記憶した各種設定データをデータ記憶部２７に取込んだ後、主処理部２１が第１の信号伝送ライン２-1〜２-nの形式によってＬＡＮ信号処理部２３、シリアル信号処理部２５あるいは多重伝送信号処理部２６を制御し該当する第１の信号伝送ラインに接続している中央制御装置に対して各種設定データをアップロードできるようになっている。
【００１８】
また、前記設定器１９は、逆に、中央制御装置に記憶されている各種設定データを、主処理部２１がＬＡＮ信号処理部２３、シリアル信号処理部２５あるいは多重伝送信号処理部２６を制御してデータ記憶部２７にダウンロードできるようになっている。そして、データ記憶部２７にダウンロードしたデータをリムーバルディスク部３０のリムーバルディスクに記憶できるようになっている。
【００１９】
前記各中央制御装置１-1〜１-nは、端末器６-1〜６-n、７-1〜７-n、９-1〜９-nを予め設定されたスケジュールデータに基づいて照明器具４-1〜４-n、５-1〜５-n、８-1〜８-nを制御することが可能になっているが、この場合に、センサ付き端末器９-1〜９-nのセンサによる明るさの検出情報とスケジュールデータの両方を使用して照明器具４-1〜４-n、５-1〜５-n、８-1〜８-nを点灯、消灯制御するようになっている。
【００２０】
すなわち、各中央制御装置１-1〜１-nは、スケジュールデータに基づいて点灯制御する場合は、図３に示すように、Ｓ１にて、センサから受信した明るさデータを予め設定した明るさ閾値と比較し、受信した明るさデータが明るさ閾値以上の場合は、周囲がまだ照明を必要とする暗さになっていないと判断し、Ｓ２にて、規定時間だけ待った後、再度、Ｓ１にて、センサから受信した明るさデータを予め設定した明るさ閾値と比較するようになっている。また、受信した明るさデータが明るさ閾値よりも低下すると、周囲が照明を必要とする暗さになったと判断し、Ｓ３にて、照明器具を点灯制御する。
【００２１】
また、各中央制御装置１-1〜１-nは、スケジュールデータに基づいて消灯制御する場合は、図４に示すように、Ｓ１１にて、センサから受信した明るさデータを予め設定した明るさ閾値と比較し、受信した明るさデータが明るさ閾値以下の場合は、周囲がまだ照明を消すほど明るくなっていないと判断し、Ｓ１２にて、規定時間だけ待った後、再度、Ｓ１１にて、センサから受信した明るさデータを予め設定した明るさ閾値と比較するようになっている。また、受信した明るさデータが明るさ閾値よりも大きくなると、周囲が照明を必要としない明るさになったと判断し、Ｓ１３にて、照明器具を消灯制御する。
【００２２】
このような構成においては、各中央制御装置１-1〜１-nは、各端末器６-1〜６-n、７-1〜７-n、９-1〜９-nを制御して照明器具４-1〜４-n、５-1〜５-n、８-1〜８-nを点灯、消灯、調光制御する。また、各端末器６-1〜６-n、７-1〜７-n、９-1〜９-nや壁スイッチ１０-1〜１０-n、１１-1〜１１-nに対して所定の時間間隔で繰り返しポーリングを行って各端末器や各壁スイッチの状態を監視情報として取得し、この取得した監視情報を記憶部に保持する。この場合に、繰り返しポーリングを行う時間間隔を１秒程度にすれば壁スイッチが切替えられた場合にもほとんどリアルタイムで変化を検出できることになる。
【００２３】
この場合に、各中央制御装置１-1〜１-nは、それぞれ第１の信号伝送ライン２-1，２-2，…，２-nを使用してポーリングにより各端末器や各壁スイッチの状態を監視情報として取得する構成になっているので、各端末器や各壁スイッチにおいては中央制御装置との通信に汎用プロトコルによるネットワーク接続手段を必要とせず、必要なソフトウエア構成を簡単にできる。従って、システムの構築が容易にできる。
【００２４】
そして、各中央制御装置１-1〜１-nは、取得した監視情報をゲートウェイ装置１４に送信する。ゲートウェイ装置１４は各中央制御装置１-1〜１-nから送信される各端末器や各壁スイッチの監視情報を収集して記憶部に保持するとともに、その収集した監視情報を、ネットワーク１５を経由してホスト装置１７へ送信する。ホスト装置１７は受信した監視情報を記憶部に保持する。
【００２５】
このようにして、ゲートウェイ装置１４及びホスト装置１７には、各中央制御装置１-1〜１-nが監視している各端末器や各壁スイッチの状態が略リアルタイムで収集されることになる。
【００２６】
パーソナルコンピュータ１８はＷｅｂブラウザを使用してホスト装置１７にアクセスし、ホスト装置１７のＷｅｂ画面を使用して収集した最新の各端末器や各壁スイッチの状態を確認することができる。そして、この場合に、ホスト装置１７に対するアクセスができない状態が生じてもパーソナルコンピュータ１８はＷｅｂブラウザを使用してゲートウェイ装置１４にアクセスすることができ、ゲートウェイ装置１４のＷｅｂ画面を使用して収集した最新の各端末器や各壁スイッチの状態を確認することができる。
【００２７】
また、パーソナルコンピュータ１６を使用して各中央制御装置１-1〜１-nに対して設定データや監視データをファイル形式でアップロードすることやダウンロードすることができる。このため、現場では中央制御装置に対してデータを設定する場合にはファイルアップロードのみの簡単な作業で対処できる。また、中央制御装置から監視データを取り込む場合にはファイルダウンロードのみの簡単な作業で対処できる。また、ダウンロードとアップロードを組み合わせることで、ある中央制御装置の設定データを他の中央制御装置に移すことも簡単にできる。
【００２８】
また、設定器１９を、壁スイッチを介して第１の信号伝送ラインに接続することで特定の中央制御装置に対して設定データをアップロードすることもできる。しかも、設定器１９にはリムーバルディスクが使用できるので、リムーバルディスクを使用して簡単にデータを持ち運ぶことができる。また、ＬＡＮ信号処理部２３及びシリアル信号処理部２５を備えているので、パーソナルコンピュータとも接続することができる。
【００２９】
また、各中央制御装置１-1〜１-nは、センサ付き端末器９-1〜９-nのセンサによる明るさの検出情報とスケジュールデータの両方を使用して照明器具４-1〜４-n、５-1〜５-n、８-1〜８-nを点灯、消灯制御できるので、天気によって環境の明るさが変化しても対処することができる。
【００３０】
（第２の実施の形態）
なお、前述した実施の形態と同一の部分には同一の符号を付して詳細な説明は省略する。  
図５に示すように、ハブ１３に各中央制御装置１-1，１-2，…，１-nを接続するとともに照明センタ装置３１を接続している。前記照明センタ装置３１はＤＨＣＰサーバ機能を備えている。なお、各中央制御装置１-1，１-2，…，１-nと各端末器や各壁スイッチとの接続は前述した第１の実施の形態と同じである。
【００３１】
このシステムにおいては、各中央制御装置１-1，１-2，…，１-nは、照明センタ装置３１に対して、図６に示すような通信を行ってＩＰアドレスを獲得するとともに自己に付されたユニークな番号を通知する。すなわち、先ず、中央制御装置１-1の電源を投入すると中央制御装置１-1から照明センタ装置３１のＤＨＣＰサーバに対してＩＰアドレスを要求し、ＤＨＣＰサーバは中央制御装置１-1に対してＩＰアドレスを割当てる。こうして中央制御装置１-1はＤＨＣＰサーバからＩＰアドレスを獲得する。
【００３２】
続いて、中央制御装置１-1は照明センタ装置３１に対して自己に付されたユニークな番号をブロードキャスト通知し、照明センタ装置３１は中央制御装置１-1からデータを受信すると、ＩＰアドレスと中央制御装置番号の対応表に受信したデータに含まれているユニークな番号とＩＰアドレスを設定する。
【００３３】
こうして、中央制御装置１-1に対する設定を終了すと、続いて、中央制御装置１-2の電源を投入して設定を開始する。このようにして各中央制御装置１-1，１-2，…，１-nに対する電源の投入を順次行うことで順次設定が行われ、最後に中央制御装置１-nの電源を投入して中央制御装置１-nに対する設定を行う。  
このような設定を行うことで、照明センタ装置３１は各中央制御装置１-1，１-2，…，１-nをユニークな番号とＩＰアドレスとを対応づけた対応表で管理することになる。すなわち、照明センタ装置３１は、対応表に設定されているＩＰアドレスと中央制御装置番号とで各中央制御装置１-1，１-2，…，１-nを管理する。そして、照明センタ装置３１から操作を行う場合は、中央制御装置番号で制御や監視や設定のデータを扱い、対応表を使用してＩＰアドレスへ変換して該当する中央制御装置へデータを送信する。
【００３４】
このようなシステムにおいても、各端末器や各壁スイッチにおいては中央制御装置との通信に汎用プロトコルによるネットワーク接続手段を必要とせず、必要なソフトウエア構成を簡単にできる。従って、システムの構築が容易にできる。
【００３５】
（第３の実施の形態）
なお、前述した実施の形態と同一の部分には同一の符号を付して詳細な説明は省略する。  
これは、図７に示すように、照明センサ装置３２とＤＨＣＰサーバ３３とを分離したもので、照明センサ装置３２とＤＨＣＰサーバ３３をそれぞれハブ１３に接続している。それ以外の構成は前述した第２の実施の形態と同様である。
【００３６】
このシステムにおいては、照明センタ装置３２及び中央制御装置１-1，１-2，…，１-nは、ＤＨＣＰサーバ３３に対して、図８に示すような通信を行ってＩＰアドレスを獲得するとともに自己に付されたユニークな番号を通知する。先ず、照明センタ装置３２の電源を投入すると、照明センタ装置３２からＤＨＣＰサーバ３３に対してＩＰアドレスを要求し、ＤＨＣＰサーバ３３は照明センタ装置３２に対してＩＰアドレスを割当てる。こうして照明センタ装置３２はＤＨＣＰサーバ３３からＩＰアドレスを獲得する。
【００３７】
続いて、中央制御装置１-1の電源を投入すると、中央制御装置１-1からＤＨＣＰサーバ３３に対してＩＰアドレスを要求し、ＤＨＣＰサーバは中央制御装置１-1に対してＩＰアドレスを割当てる。こうして中央制御装置１-1はＤＨＣＰサーバ３３からＩＰアドレスを獲得する。
【００３８】
続いて、中央制御装置１-1は照明センタ装置３２に対して自己に付されたユニークな番号をブロードキャスト通知し、照明センタ装置３２は中央制御装置１-1からデータを受信すると、ＩＰアドレスと中央制御装置番号の対応表に受信したデータに含まれているユニークな番号とＩＰアドレスを設定する。
【００３９】
こうして、中央制御装置１-1に対する設定を終了すと、続いて、中央制御装置１-2の電源を投入して中央制御装置１-2に対する設定を開始する。このようにして各中央制御装置１-1，１-2，…，１-nに対しては電源を投入する毎に順次設定を行い、最後に中央制御装置１-nへの電源を投入して設定を行う。  
このような設定を行うことで、照明センタ装置３２は各中央制御装置１-1，１-2，…，１-nをユニークな番号とＩＰアドレスとを対応づけた対応表で管理することになる。すなわち、照明センタ装置３２は、対応表に設定されているＩＰアドレスと中央制御装置番号とで各中央制御装置１-1，１-2，…，１-nを管理する。そして、照明センタ装置３２から操作を行う場合は、中央制御装置番号で制御や監視や設定のデータを扱い、対応表を使用してＩＰアドレスへ変換して該当する中央制御装置へデータを送信する。
【００４０】
このようなシステムにおいても、各端末器や各壁スイッチにおいては中央制御装置との通信に汎用プロトコルによるネットワーク接続手段を必要とせず、必要なソフトウエア構成を簡単にできる。従って、システムの構築が容易にできる。
【図面の簡単な説明】
【００４１】
【図１】本発明の、第１の実施の形態に係る照明制御システムの構成を示すブロック図。
【図２】同実施の形態で使用する設定器の構成を示すブロック図。
【図３】同実施の形態におけるスケジュールデータによる点灯制御を示す流れ図。
【図４】同実施の形態におけるスケジュールデータによる消灯制御を示す流れ図。
【図５】本発明の、第２の実施の形態に係る照明制御システムの構成を示すブロック図。
【図６】同実施の形態において照明センタ装置が管理するＩＰアドレスと中央制御装置番号の対応表設定時の通信シーケンスを示す図。
【図７】本発明の、第３の実施の形態に係る照明制御システムの構成を示すブロック図。
【図８】同実施の形態において照明センタ装置が管理するＩＰアドレスと中央制御装置番号の対応表設定時の通信シーケンスを示す図。
【符号の説明】
【００４２】
１-1〜１-n…中央制御装置、２-1〜２-n…第１の信号伝送ライン、４-1〜４-n，５-1〜５-n，８-1〜８-n…照明器具、６-1〜６-n，７-1〜７-n…制御端末器、９-1〜９-n…センサ付き端末器、１１-1〜１１-n…壁スイッチ、１４…ゲートウェイ装置、１７…ホスト装置。
【図１】
2005277597.tif 000003
【図２】
2005277597.tif 000004
【図３】
2005277597.tif 000005
【図４】
2005277597.tif 000006
【図５】
2005277597.tif 000007
【図６】
2005277597.tif 000008
【図７】
2005277597.tif 000009
【図８】
2005277597.tif 000010